(57)【要約】【課題】吹き出し音を減少させることができる空気調和機を提供する。【解決手段】空気調和機は、ファンロータ５１と、ケーシング２と、第１整流板３１とを備える。ファンロータ５１は、遠心方向に空気を吹き出す。ケーシング２は、ファン収納空間ＳＰ３と、左側壁１８と、第１吹出し口６とを有する。ファン収納空間ＳＰ３は、ファンロータ５１を収納する空間である。左側壁１８は、ファン収納空間ＳＰ３においてファンロータ５１の遠心方向に配置される。第１吹出し口６は、ファンロータ５１の回転中心と左側壁１８とを結ぶ方向と直交する方向に配置され、ファン収納空間ＳＰ３に連通する。そして、第１整流板３１は、ファンロータ５１から左側壁１８に向けて吹き出された空気を第１吹出し口６へ向かう方向へと案内する。【選択図】図５
2007183018.tif 000002
【特許請求の範囲】
【請求項１】
遠心方向に空気を吹き出すターボファン（５１）と、
前記ターボファン（５１）を収納するファン収納空間（ＳＰ３）と、前記ファン収納空間（ＳＰ３）において前記ターボファン（５１）の遠心方向に配置される第１側壁（１８）と、前記ターボファン（５１）の回転中心と前記第１側壁（１８）とを結ぶ方向と直交する方向に配置され前記ファン収納空間（ＳＰ３）に連通する第１吹出し口（６）とを有するケーシング（２）と、
前記ターボファン（５１）から前記第１側壁（１８）に向けて吹き出された空気を前記第１吹出し口（６）へ向かう方向へと案内する第１整流板（３１）と
を備える空気調和機（１）。
【請求項２】
前記第１整流板（３１）は、前記ターボファン（５１）のうち回転の周方向ベクトルが前記第１側壁（１８）へ向かう方向となる第１部分（５５）と前記第１側壁（１８）との間に配置される、
請求項１に記載の空気調和機（１）。
【請求項３】
前記第１吹出し口（６）が前記ターボファン（５１）の上側に位置し、前記第１側壁（１８）が前記ターボファン（５１）の左側に位置するように前記ターボファン（５１）の回転軸方向から見た場合において、
前記ターボファン（５１）は左回りに回転し、
前記第１整流板（３１）は、前記ターボファン（５１）の左斜め上方に配置される、
請求項１または２に記載の空気調和機（１）。
【請求項４】
前記第１吹出し口（６）が前記ターボファン（５１）の上側に位置し、前記第１側壁（１８）が前記ターボファン（５１）の右側に位置するように前記ターボファン（５１）の回転軸方向から見た場合において、
前記ターボファン（５１）は右回りに回転し、
前記第１整流板（３１）は、前記ターボファン（５１）の右斜め上方に配置される、
請求項１または２に記載の空気調和機（１）。
【請求項５】
前記第１整流板（３１）の下流側の端部は他の部分より太く且つ丸みを帯びた形状となっている、
請求項１から４のいずれかに記載の空気調和機（１）。
【請求項６】
前記ケーシング（２）は、前記ターボファン（５１）に対して前記第１側壁（１８）の反対側に配置される第２側壁（１７）をさらに有し、
前記ターボファン（５１）の回転軸方向において前記ターボファン（５１）に対向して配置されターボファン（５１）へと空気を案内するファンカバー（５３）と、
前記ファンカバー（５３）の上流側において前記ファンカバー（５３）に対向して配置され前記ファンカバー（５３）へと空気を案内するベルマウス（１３）と、
前記ターボファン（５１）から吹き出され前記ファンカバー（５３）に沿って流れる空気を前記第１吹出し口（６）へ向かう方向に案内する第２整流板（３３）と、
をさらに備える請求項１に記載の空気調和機（１）。
【請求項７】
前記第２整流板（３３）は、前記ターボファン（５１）のうち回転の周方向ベクトルが前記第１側壁（１８）へ向かう方向となる第１部分（５５）と前記第２側壁（１７）との間に配置される、
請求項６に記載の空気調和機（１）。
【請求項８】
前記ケーシング（２）は、前記ターボファン（５１）に対して前記第１吹出し口（６）の反対側に配置される第２吹出し口（７）をさらに有し、
前記ターボファン（５１）から前記第２側壁（１７）に向けて吹き出された空気を前記第２吹出し口（７）へ向かう方向へと案内する第３整流板（３２）をさらに備える、
請求項６または７のいずれかに記載の空気調和機（１）。
【請求項９】
前記ターボファン（５１）から吹き出され前記ファンカバー（５３）に沿って流れる空気を前記第２吹出し口（７）へ向かう方向に案内する第４整流板（３４）をさらに備える、
請求項８に記載の空気調和機（１）。
【発明の詳細な説明】
【技術分野】
【０００１】
本発明は、空気調和機に関する。
【背景技術】
【０００２】
従来、空気調和機において、ターボファンを駆動することによって、吸込み口から吸い込まれ吹出し口から吹き出される空気の流れを生成するものがある（特許文献１参照）。ターボファンは、ファンロータの回転軸方向から空気を吸い込み、遠心方向に空気を吹き出す。ターボファンから吹き出された空気は、吹出し口から室内へと吹き出される。
【特許文献１】特開２００２−１９５６４２号公報
【発明の開示】
【発明が解決しようとする課題】
【０００３】
上記のようにターボファンを用いた空気調和機では、図８に示すように、ターボファン９１の遠心方向に吹き出された空気（矢印Ａ６参照）がターボファン９１の収納空間の側壁９２に衝突して、空気の流れに乱れが生じる場合がある。空気の流れにこのような乱れが生じると、吹き出し音が増大する恐れがある。
本発明の課題は、吹き出し音を減少させることができる空気調和機を提供することにある。
【課題を解決するための手段】
【０００４】
第１発明に係る空気調和機は、ターボファンと、ケーシングと、第１整流板とを備える。ターボファンは、遠心方向に空気を吹き出す。ケーシングは、ファン収納空間と、第１側壁と、第１吹出し口とを有する。ファン収納空間は、ターボファンを収納する空間である。第１側壁は、ファン収納空間においてターボファンの遠心方向に配置される。第１吹出し口は、ターボファンの回転中心と第１側壁とを結ぶ方向と直交する方向に配置され、ファン収納空間に連通する。そして、第１整流板は、ターボファンから第１側壁に向けて吹き出された空気を第１吹出し口へ向かう方向へと案内する。
この空気調和機では、ターボファンから第１側壁に向けて吹き出された空気が第１整流板によって第１吹出し口へ向かう方向へ案内される。このため、空気の流れに乱れが生じることを抑えることができ、吹き出し音を減少させることができる。
【０００５】
第２発明に係る空気調和機は、第１発明の空気調和機であって、第１整流板は、ターボファンのうち回転の周方向ベクトルが第１側壁へ向かう方向となる第１部分と第１側壁との間に配置される。
この空気調和機では、第１部分と第１側壁との間に第１整流板が配置される。第１部分と第１側壁との間は、第１側壁へ向かう空気が多く流れる位置であるため、この位置に第１整流板が配置されることにより、吹き出し音をより減少させることができる。
【０００６】
第３発明に係る空気調和機は、第１発明または第２発明の空気調和機であって、第１吹出し口がターボファンの上側に位置し、第１側壁がターボファンの左側に位置するようにターボファンの回転軸方向から見た場合において、ターボファンは左回りに回転し、第１整流板は、ターボファンの左斜め上方に配置される。
この空気調和機では、上記のように見た場合において、第１整流板は、ターボファンの左斜め上方に配置される。ターボファンが左回りに回転する場合、ターボファンの左斜め上方は、第１側壁へ向かう空気が多く流れる位置である。このため、この位置に第１整流板が配置されることにより、吹き出し音をより減少させることができる。
【０００７】
第４発明に係る空気調和機は、第１発明または第２発明の空気調和機であって、第１吹出し口がターボファンの上側に位置し、第１側壁がターボファンの右側に位置するようにターボファンの回転軸方向から見た場合において、ターボファンは右回りに回転し、第１整流板は、ターボファンの右斜め上方に配置される。
この空気調和機では、上記のように見た場合において、第１整流板は、ターボファンの右斜め上方に配置される。ターボファンが右回りに回転する場合、ターボファンの右斜め上方は、第１側壁へ向かう空気が多く流れる位置である。このため、この位置に第１整流板が配置されることにより、吹き出し音をより減少させることができる。
【０００８】
第５発明に係る空気調和機は、第１発明から第４発明のいずれかの空気調和機であって、第１整流板の下流側の端部は他の部分より太く且つ丸みを帯びた形状となっている。
この空気調和機では、第１整流板の下流側の端部が上記のような形状であるため、第１整流板によって空気の流れが乱される恐れが少ない。このため、第１整流板によって吹き出し音が増大することを抑えることができる。
【０００９】
第６発明に係る空気調和機は、第１発明の空気調和機であって、ケーシングは、ターボファンに対して第１側壁の反対側に配置される第２側壁をさらに有する。また、この空気調和機は、ファンカバーと、ベルマウスと、第２整流板とをさらに備える。ファンカバーは、ターボファンの回転軸方向においてターボファンに対向して配置されターボファンへと空気を案内する。ベルマウスは、ファンカバーの上流側においてファンカバーに対向して配置されファンカバーへと空気を案内する。第２整流板は、ターボファンから吹き出されファンカバーに沿って流れる空気を第１吹出し口へ向かう方向に案内する。
この空気調和機では、ターボファンから吹き出されファンカバーに沿って流れる空気が、第２整流板によって、第１吹出し口へ向かう方向に案内される。このため、ファンカバーに沿って流れる空気による空気の流れの乱れを抑えることができる。
【００１０】
第７発明に係る空気調和機は、第６発明の空気調和機であって、第２整流板は、ターボファンのうち回転の周方向ベクトルが第１側壁へ向かう方向となる第１部分と第２側壁との間に配置される。
この空気調和機では、第１部分と第２側壁との間に第２整流板が配置される。第１部分と第２側壁との間の部分は、ターボファンから吹き出され第２側壁で跳ね返された空気が多く通るため、この位置に第２整流板が配置されることにより、ファンカバーに沿って流れる空気による空気の流れの乱れをより抑えることができる。
【００１１】
第８発明に係る空気調和機は、第６発明または第７発明の空気調和機であって、ケーシングは、ターボファンに対して第１吹出し口の反対側に配置される第２吹出し口をさらに有する。また、この空気調和機は、ターボファンから第２側壁に向けて吹き出された空気を第２吹出し口へ向かう方向へと案内する第３整流板をさらに備える。
この空気調和機では、第３整流板によって、ターボファンから第２側壁に向けて吹き出された空気による空気の流れの乱れが抑えられる。これにより、この空気調和機では、第１吹出し口からの吹き出し音と第２吹出し口からの吹き出し音との両方を低減させることができる。
【００１２】
第９発明に係る空気調和機は、第８発明の空気調和機であって、ターボファンから吹き出されファンカバーに沿って流れる空気を第２吹出し口へ向かう方向に案内する第４整流板をさらに備える。
【００１３】
この空気調和機では、ターボファンから吹き出されファンカバーに沿って流れる空気が、第４整流板によって、第２吹出し口へ向かう方向に案内される。このため、ファンカバーに沿って流れる空気による空気の流れの乱れを抑えることができる。
【発明の効果】
【００１４】
第１発明に係る空気調和機では、ターボファンから第１側壁に向けて吹き出された空気が第１整流板によって第１吹出し口へ向かう方向へ案内される。このため、空気の流れに乱れが生じることを抑えることができ、吹き出し音を減少させることができる。
第２発明に係る空気調和機では、第１側壁へ向かう空気が多く流れる第１部分と第１側壁との間に第１整流板が配置されることにより、吹き出し音をより減少させることができる。
【００１５】
第３発明に係る空気調和機では、第１側壁へ向かう空気が多く流れるターボファンの左斜め上方に第１整流板が配置されることにより、吹き出し音をより減少させることができる。
第４発明に係る空気調和機では、第１側壁へ向かう空気が多く流れるターボファンの右斜め上方に第１整流板が配置されることにより、吹き出し音をより減少させることができる。
【００１６】
第５発明に係る空気調和機では、第１整流板によって空気の流れが乱される恐れが少ない。このため、第１整流板によって吹き出し音が増大することを抑えることができる。
第６発明に係る空気調和機では、ターボファンから吹き出されファンカバーに沿って流れる空気が、第２整流板によって、第１吹出し口へ向かう方向に案内される。このため、ファンカバーに沿って流れる空気による空気の流れの乱れを抑えることができる。
【００１７】
第７発明に係る空気調和機では、ターボファンから吹き出され第２側壁で跳ね返された空気が多く通る第１部分と第２側壁との間の部分に第２整流板が配置されることにより、ファンカバーに沿って流れる空気による空気の流れの乱れをより抑えることができる。
第８発明に係る空気調和機では、第３整流板によって、ターボファンから第２側壁に向けて吹き出された空気による空気の流れの乱れが抑えられる。これにより、この空気調和機では、第１吹出し口からの吹き出し音と第２吹出し口からの吹き出し音との両方を低減させることができる。
【００１８】
第９発明に係る空気調和機では、ターボファンから吹き出されファンカバーに沿って流れる空気が、第４整流板によって、第２吹出し口へ向かう方向に案内される。このため、ファンカバーに沿って流れる空気による空気の流れの乱れを抑えることができる。
【発明を実施するための最良の形態】
【００１９】
＜構成＞
本発明の一実施形態に係る空気調和機１を図１から図３に示す。図１は、空気調和機１の前面図であり、図２は、空気調和機１の側面図である。また、図３は、空気調和機１の側面断面図である。この空気調和機１は、床置き型の室内機であり、ケーシング２と、フィルター３ａと、室内熱交換器４と、送風装置５と、第１整流板３１、第３整流板３２、第２整流板３３、第４整流板３４、制御部８０（図６参照）とを備える。なお、以下の説明において、上下左右という場合は、空気調和機１の前面視における上下左右を意味している。
【００２０】
〔ケーシング２〕
〈ケーシング２の全体構成〉
ケーシング２は、合成樹脂製の中空の筐体からなり、フィルター３ａ、室内熱交換器４、ベルマウス１３、送風装置５を内部に収納している。ケーシング２には、第１吹出し口６、第２吹出し口７、第１吸込み口８，第２吸込み口９、第３吸込み口１０、第４吸込み口１１が設けられている。
【００２１】
第１吹出し口６と第２吹出し口７とはケーシング２の前面に設けられている。第１吹出し口６は、ケーシング２の前面の上端に沿って設けられた横長形状の開口であり、室内へ吹き出される空気が通る。第２吹出し口７は、ケーシング２の前面の下端に沿って設けられた横長形状の開口であり、室内へ吹き出される空気が通る。なお、第１吹出し口６には、第１吹出し口６から吹き出される空気を案内する第１フラップ６１が回動自在に設けられており、第１フラップ６１がフラップモータ６３（図６参照）によって回動することにより第１吹出し口６が開閉される。また、第２吹出し口７には、第２吹出し口７から吹き出される空気を案内する第２フラップ６２が回動自在に設けられている。また、第２吹出し口７の後方には、第２吹出し口７を開閉するシャッター部材６４が回動自在に設けられている。シャッター部材６４は、シャッターモータ６５（図６参照）によって回動することによって第２吹出し口７を開閉する。第１吹出し口６と第２吹出し口７とは左右方向の長さが概ね同じであるが、第１吹出し口６と第２吹出し口７とは大きさが相違しており、第１吹出し口６の方が第２吹出し口７よりも大きい。なお、図１においては、第２吹出し口７の方が第１吹出し口６よりも左右方向の長さが大きいように見えるが、ケーシング２の内部において内部の空間と連通している部分の長さに関しては、第１吹出し口６と第２吹出し口７との左右方向の長さは概ね同じである。
【００２２】
第１吸込み口８と第２吸込み口９とは、ケーシング２の左右の側面にそれぞれ設けられており、左右方向に距離を隔てて配置されている。第１吸込み口８は、ケーシング２の右側面の前端に沿って設けられた縦長形状の開口であり、室内からケーシング２の内部に吸い込まれる空気が通る。第２吸込み口９は、ケーシング２の左側面の前端に沿って設けられた縦長形状の開口であり、室内からケーシング２の内部に吸い込まれる空気が通る。
【００２３】
第３吸込み口１０と第４吸込み口１１とはケーシング２の前面に設けられている。第３吸込み口１０は、第１吹出し口６の下方に設けられた横長形状の開口であり、室内からケーシング２の内部に吸い込まれる空気が通る。第４吸込み口１１は、第２吹出し口７の上方に設けられた横長形状の開口であり、室内からケーシング２の内部に吸い込まれる空気が通る。また、ケーシング２の前面のうち第３吸込み口１０と第４吸込み口１１との間には、開口が設けられていない平坦なフラットパネル部２０が設けられている。
なお、ケーシング２は、ケーシング本体２１と、ケーシング本体２１の前面に着脱自在に取り付けられる前面パネル２２とを有しており、第２吹出し口７と、第１吸込み口８、第２吸込み口９、第３吸込み口１０、第４吸込み口１１は、前面パネル２２に設けられている。なお、第１吹出し口６はケーシング本体２１に設けられている。
【００２４】
〈前面パネル〉
前面パネル２２は、ケーシング本体２１の前面よりも小さな外形を有しており、前面視において、第１吹出し口６の下方に配置されている。第３吸込み口１０は、前面パネル２２の上端近傍に配置されており、第２吹出し口７は、前面パネル２２の下端近傍に配置されている。なお、第４吸込み口１１は上述したように第２吹出し口７の上方に設けられている。また、前面パネル２２の前面は、ケーシング本体２１の前面から前方に僅かな距離を隔てて配置されており、前面パネル２２の前面側端部とケーシング本体２１の前面とを繋ぐ前面パネル２２の側面には、第１吸込み口８および第２吸込み口９が設けられている。前面パネル２２の右側面は、図４に示すように、前面視において、ケーシング本体２１の右側面よりも僅かに内側に位置しており、ケーシング本体２１の内部に収納された室内熱交換器４の右端部よりも外側に位置している。このため、第１吸込み口８は、室内熱交換器４の右端部よりも外側すなわち右側に位置している。また、前面パネル２２の左側面は、前面視において、ケーシング本体２１の左側面よりも僅かに内側に位置しており、ケーシング本体２１の内部に収納された室内熱交換器４の左端部に概ね対向している。このため、第２吸込み口９は、室内熱交換器４の左端部と概ね対向する位置に設けられている。また、前面パネル２２の前面上端部とケーシング本体２１の前面とを繋ぐ前面パネル２２の上面と、前面パネル２２の前面下端とケーシング本体２１の前面とを繋ぐ前面パネル２２の下面とは閉じられている。なお、第３吸込み口１０は、前面パネル２２の前面ではなく、前面パネル２２の上面に設けられてもよい。
【００２５】
以上のように、ケーシング２には、前面パネル２２のフラットパネル部２０の周囲の上下左右４方向に第１吸込み口８から第４吸込み口１１がそれぞれ配置されており、フラットパネル部２０の上下左右４方向から空気が吸い込まれる。
〈ケーシング本体〉
ケーシング本体２１は、前面が大きく開口しており、前面パネル２２によって開口が塞がれる。図３に示すように、ケーシング本体２１の内部には、フィルター３ａ、室内熱交換器４、ベルマウス１３、送風装置５が、ケーシング本体２１の前面の開口に対向して、前方から後方に向けて順に配置されている。
【００２６】
〈ケーシング２の内部空間〉
ケーシング２の内部空間は、吸い込み空間ＳＰ１、熱交換器収納空間ＳＰ２、ファン収納空間ＳＰ３の３つの空間に分かれている。
吸い込み空間ＳＰ１は、前面パネル２２とフィルター３ａとの間に形成された空間であり、各吸込み口８−１１から吸い込まれフィルター３ａを透過する空気が通る。
【００２７】
熱交換器収納空間ＳＰ２は、フィルター３ａとベルマウス１３との間に形成されており、室内熱交換器４を収納する空間である。熱交換器収納空間ＳＰ２は、吸い込み空間ＳＰ１の後方に位置している。なお、吸い込み空間ＳＰ１と熱交換器収納空間ＳＰ２とは、前面視において、第１吹出し口６と第２吹出し口７との間に位置している。フィルター３ａを透過した空気は、熱交換器収納空間ＳＰ２を通り、室内熱交換器４によって熱交換される。
【００２８】
ファン収納空間ＳＰ３は、熱交換器収納空間ＳＰ２の後方、上方および下方を覆うように配置されており、熱交換器収納空間ＳＰ２の後方に送風装置５が収納されている。ファン収納空間ＳＰ３は、ベルマウス１３の空気導入口１４を介して熱交換器収納空間ＳＰ２に連通している。また、ファン収納空間ＳＰ３は、熱交換器収納空間ＳＰ２の後方からケーシング２の上面および底面に向けて延びており、第１吹出し口６と第２吹出し口７とに連通している。このため、ベルマウス１３の空気導入口１４からファン収納空間ＳＰ３に入った空気は、上方と下方とに分岐して、それぞれ第１吹出し口６と第２吹出し口７とから吹き出される。また、図５に示すように、ファン収納空間ＳＰ３の左右方向の長さは、室内熱交換器４、第１吹出し口６および第２吹出し口７の左右方向の長さと概ね同じである。なお、ファン収納空間ＳＰ３の側方は、右側壁１７および左側壁１８によって閉じられており、右側壁１７の右側方は電装品等が収納される空間となっている。
【００２９】
〔フィルター３ａ〕
フィルター３ａは、フラットパネル部２０の後方においてフラットパネル部２０に対向して配置されており、ケーシング本体２１の前面の開口を覆うように取り付けられている。フィルター３ａは、空気の流れにおいて、各吸込み口８−１１の下流に位置している。フィルター３ａは、各吸込み口８−１１から吸い込まれた空気を後方に透過させ、透過する空気を清浄化する。
【００３０】
〔室内熱交換器４〕
室内熱交換器４は、図示しない室外熱交換器と共に冷媒回路を構成しており、通過する空気との間で熱交換を行う。室内熱交換器４は、フィルター３ａの後方にフィルター３ａに対向して配置されており、空気の流れにおいて、フィルター３ａの下流に位置している。室内熱交換器４は、薄い板状の外形を有しており、前面視においてフィルター３ａと同程度の大きさを有する。室内熱交換器４は、フラットパネル部２０に平行に設けられている。
【００３１】
〔送風装置５〕
送風装置５は、室内熱交換器４の後方において室内熱交換器４に対向して配置されており、空気の流れにおいて、室内熱交換器４の下流に位置している。送風装置５は、第１吹出し口６と第２吹出し口７よりも後方に位置しているが、前面視において第１吹出し口６と第２吹出し口７との間に配置されている。また、送風装置５は、前面視において、第１吸込み口８および第２吸込み口９との間に配置されている。また、送風装置５は、遠心方向に風を吹き出す遠心ファンの一種であるターボ送風機であり、各吸込み口８−１１から吸い込まれ各吹出し口６，７から吹き出される空気の流れを生成する。送風装置５は、ファンロータ５１、ファンモータ５２、ファンカバー５３を有している。
【００３２】
ファンロータ５１は、回転軸ＡＸ１が前後方向に水平になるように配置されており、回転軸ＡＸ１から螺旋を描きながら離れるように配置された複数枚の羽根を有している。図５に示すように、前面視において、ファンロータ５１の右側方には、右側壁１７が配置されており、ファンロータ５１の遠心方向に位置している。また、ファンロータ５１に対して右側壁１７の反対側には左側壁１８が配置されており、ファンロータ５１の遠心方向に位置している。また、ファンロータ５１の上方には第１吹出し口６が位置しており、ファンロータ５１に対して第１吹出し口６の反対側、すなわちファンロータ５１の下方には第２吹出し口７が位置している。そして、ファンロータ５１から上方に吹き出された空気は、図３に示すように、第１吹出し口６に繋がる第１空気通路ＰＡ１を通って第１吹出し口６から外部に吹き出される。ファンロータ５１から下方に吹き出された空気は、第２吹出し口７に繋がる第２空気通路ＰＡ２を通って第２吹出し口７から外部に吹き出される。
【００３３】
また、図４に示すように、ファンロータ５１の回転中心Ｏ１は、前面視において、ファン収納空間ＳＰ３の中心Ｏ２に対して、第１吹出し口６と第２吹出し口７とを結ぶ方向に直交する方向、すなわち、左右方向にずらして配置されている。ここで、ファンロータ５１は前面視において左回りに回転するため、ファンロータ５１の回転中心Ｏ１は、ファン収納空間ＳＰ３の中心Ｏ２に対して左側にずらして配置されている。このため、図５に示すように、ファンロータ５１のうち回転の周方向ベクトルが第２吹出し口７から第１吹出し口６に向かう方向（矢印Ａ１参照）となる右側端部と右側壁１７との距離ｄ１は、ファンロータ５１のうち回転の周方向ベクトルが第１吹出し口６から第２吹出し口７に向かう方向（矢印Ａ２参照）となる左側端部と左側壁１８との距離ｄ２よりも大きくなっている。このファンロータ５１の回転中心Ｏ１のずれは、例えば、１０ｍｍ〜２０ｍｍである。
【００３４】
ファンモータ５２は、ファンロータ５１を回転駆動する駆動源であり、ファンロータ５１の後方に配置される。
ファンカバー５３は、ファンロータ５１の回転軸方向においてファンロータ５１に対向して配置されており、ファンロータ５１の前方に配置されている。ファンカバー５３は、空気導入口１４から吹き出される空気をファンロータ５１に案内する。ファンカバー５３の前面には、ファンカバー５３内に取り込まれる空気が通る開口が設けられている。ファンカバー５３は、側面断面視において後方ほど上下方向に広がっており、ファンカバー５３の前面の開口を通った空気は、ファンロータ５１によって遠心方向に吹き出されることにより上下に分岐し、第１吹出し口６および第２吹出し口７から室内に吹き出される。
【００３５】
〔ベルマウス１３〕
ベルマウス１３は、室内熱交換器４と送風装置５との間に設けられており、熱交換器収納空間ＳＰ２とファン収納空間ＳＰ３とを仕切る部材である。ベルマウス１３は、ファンカバー５３の上流側においてファンカバー５３に対向して配置されており、室内熱交換器４を透過した空気をファンカバー５３へと案内する。ベルマウス１３は、平坦部１５と円管部１６とを有している。
【００３６】
平坦部１５は、前面視において室内熱交換器４と同程度の大きさの外形を有しており、室内熱交換器４の後面に対向して室内熱交換器４と平行に設けられている。平坦部１５には、上述した空気導入口１４が設けられており、平坦部１５の空気導入口１４の周縁に円管部１６の前端が繋がっている。
なお、円管部１６は前端側が拡径するように湾曲しており、空気導入口１４の周縁と緩やかに繋がっている。また、円管部１６の後端は、ファンカバー５３の前面の開口よりも小さな外径を有しており、ファンカバー５３の前面の開口を通ってファンカバー５３の内部に入り込んでいる。円管部１６の後端の外周面と、ファンカバー５３の前面の開口の内周面との間には隙間が設けられている。
【００３７】
また、空気導入口１４は、図４に示すように、前面視において室内熱交換器４よりも小さな外形を有しており、円管部１６も前面視において室内熱交換器４よりも小さな外形を有している。空気導入口１４は、前面視において、送風装置５のファンロータ５１の外径よりも小さい円形の形状を有している。空気導入口１４は、ファンロータ５１の回転中心Ｏ１と同心に配置されている。
【００３８】
上述したように、ファンロータ５１の回転中心Ｏ１はファン収納空間ＳＰ３の左右方向の中心よりも左側にずれているため、空気導入口１４の中心も左側にずれている。また、第１吸込み口８は、前面視においてファン収納空間ＳＰ３の右側壁１７よりも右側に位置し、第２吸込み口９は、ファン収納空間ＳＰ３の左側壁１８と対向している。このため、第１吸込み口８から空気導入口１４までの吸い込み距離は、第２吸込み口９から空気導入口１４までの吸い込み距離よりも長くなっている。
【００３９】
〔第１整流板３１および第３整流板３２〕
第１整流板３１は、ファンロータ５１から右側壁１７に向けて吹き出された空気を第１吹出し口６へ向かう方向へと案内する板状の部材である。第１整流板３１は、図５に示すように、ファンロータ５１のうち回転の周方向ベクトルが左側壁１８へ向かう方向（矢印Ａ３参照）となる上端部５５と左側壁１８との間に配置されており、前面視において、ファンロータ５１の左斜め上方に配置されている。第１整流板３１は、ファンロータ５１の上端部５５から、ファンロータ５１の回転方向へ約４５°回転した位置の上方に位置している。また、第１整流板３１は図３に示すように、第１空気通路ＰＡ１に突出するように設けられている。なお、第１空気通路ＰＡ１は、ファンロータ５１の空気の出口から斜め前上方に延び、第１吹出し口６に繋がっている。
【００４０】
また、第１整流板３１の下流側の端部は他の部分より太く且つ丸みを帯びた形状となっており、空気に乱れを生じさせることを抑えている。さらに、第１整流板３１は、第１吹出し口７へ向けて空気を案内するように緩やかに湾曲した形状となっている。
第３整流板３２は、ファンロータ５１から右側壁１７に向けて吹き出された空気を第２吹出し口７へ向かう方向へと案内する板状の部材である。第３整流板３２は、前面視においてターボファンの回転中心Ｏ１に対して第１整流板３１と対称に配置されている。第３整流板３２は、ファンロータ５１のうち回転の周方向ベクトルが右側壁１７へ向かう方向（矢印Ａ４参照）となる下端部５６と右側壁１７との間に配置されており、前面視において、ファンロータ５１の右斜め下方に配置されている。第３整流板３２は、ファンロータ５１の下端部５６から、ファンロータ５１の回転方向へ約４５°回転した位置の下方に位置している。また、第１整流板３１は図３に示すように、第２空気通路ＰＡ２に突出するように設けられている。なお、第２空気通路ＰＡ２は、ファンロータ５１の空気の出口から斜め前下方に延び第２吹出し口７に繋がっている。また、第３整流板３２も第１整流板３１と同様の形状である。
【００４１】
〔第２整流板３３および第４整流板３４〕
第２整流板３３は、ファンロータ５１から吹き出されファンカバー５３に沿って流れる空気を第１吹出し口６へ向かう方向に案内する板状の部材である。第２整流板３３は、図５に示すように、前面視において、ファンロータ５１の上端部５５と右側壁１７との間に配置されており、ベルマウス１３の円管部１６の右斜め上方に配置されている。第２整流板３３は、ファンロータ５１の回転中心Ｏ１から第１吹出し口６へ向かう方向から、ファンロータ５１の回転方向とは逆の方向へ約４５°までの範囲に位置している。なお、第２整流板３３は、第１整流板３１よりも小さく、第１整流板３１と同様に下流側の端部は他の部分より太く且つ丸みを帯びた形状となっている。また、第２整流板３３は、第１整流板３１と同様に湾曲した形状となっている。
【００４２】
第４整流板３４は、ファンロータ５１から吹き出されファンカバー５３に沿って流れる空気を第２吹出し口７へ向かう方向に案内する。第４整流板３４は、前面視において、ターボファンの回転中心Ｏ１に対して第２整流板３３と対称に配置されている。第４整流板３４は、前面視において、ファンロータ５１の下端部５６と左側壁１８との間に配置されており、ベルマウス１３の円管部１６の左斜め下方に配置されている。第４整流板３４は、ファンロータ５１の回転中心Ｏ１から第２吹出し口７へ向かう方向から、ファンロータ５１の回転方向とは逆の方向へ約４５°までの範囲に位置している。なお、第４整流板３４は、第３整流板３２よりも小さく、第３整流板３２と同様に下流側の端部は他の部分より太く且つ丸みを帯びた形状となっている。また、第４整流板３４は、第３整流板３２と同様に湾曲した形状となっている。
【００４３】
また、第２整流板３３と第４整流板３４とは、図３に示すように、ファン収納空間ＳＰ３においてベルマウス１３の平坦部１５の後面から後方に突出するように設けられており、ベルマウス１３の平坦部１５の後面とファンカバー５３の前面との間に位置している。第２整流板３３と第４整流板３４とは、ベルマウス１３の円管部１６の外周側に位置しており、ベルマウス１３とファンカバー５３との隙間の入口に対向している。なお、第２整流板３３はベルマウス１３の円管部１６の上側に位置しており、第４整流板３４はベルマウス１３の円管部１６の下側に位置している。
【００４４】
〔制御部８０〕
制御部８０は、図６に示すように、各種センサー８１からの情報およびリモコン８２からの指令信号等に基づいて空気調和機１の制御を行う。制御部８０は、図示しない室外機内に配置された各種の室外機部品８３、ファンモータ５２、フラップモータ６３、シャッターモータ６５等を制御することによって、冷暖房等の空気調和運転を行うことができる。また、この制御部８０は、シャッター部材６４を閉じ且つ第１フラップ６１を開くように制御することにより、第２吹出し口７からの空気の吹き出しを行わずに第１吹出し口６からの空気の吹き出しのみを行う第１吹出し口６優先運転を行うことができる。例えば、冷房運転時に第１吹出し口６優先運転を行うことにより、足下の冷えを防止して室内を適切に冷房することができる。
【００４５】
＜特徴＞
（１）
この空気調和機１では、ファンロータ５１から左側壁１８に向かって吹き出された空気が、第１整流板３１によって方向を変えられ第１吹出し口６へ向かう。また、ファンロータ５１から右側壁１７に向かって吹き出された空気は、第３整流板３２によって方向を変えられ第２吹出し口７へ向かう。このため、右側壁１７や左側壁１８に衝突する空気が低減され、空気の乱れの発生が抑えられる。また、右側壁１７や左側壁１８に衝突して上方に向かう空気の流れと、ファンロータ５１から右側壁１７や左側壁１８に向けて吹き出された空気の流れとの衝突が低減され、空気の乱れの発生が抑えられる。これにより、この空気調和機１では、吹き出し音を低減することができ、静音化を実現することができる。
【００４６】
（２）
一般に、ベルマウス１３とファンカバー５３との間に隙間が設けられていると、図９に示すように、ファンロータ５１から吹き出された空気の一部がこの隙間から逆流することがある（矢印Ａ５参照）。特に、ファンロータ５１から吹き出された空気（矢印Ａ７参照）が第１側壁１７や第２側壁１８に衝突することにより跳ね返され、ファンロータ５１近傍に戻ってきた場合には、ベルマウス１３とファンカバー５３との間の隙間から逆流する空気の量が増大する。これにより、空気の流れに乱れが生じ、吹き出し音が増大する恐れがある。また、この場合、ファンカバー５３への正規の吸い込み空気の量が減少することにより、ファンロータ５１から吹き出される空気の量が減少し、吹き出し風速の不均一が生じる恐れもある。
【００４７】
しかし、この空気調和機１では、第１整流板３１および第３整流板３２によって右側壁１７および左側壁１８で跳ね返される空気が低減されている。また、第２整流板３３および第４整流板３４によって、ファンカバー５３に沿って流れる空気が、第１吹出し口６および第２吹出し口７へ向けて案内される。このため、ベルマウス１３とファンカバー５３との間の隙間から逆流する空気の量を低減することができる。これにより、この空気調和機１では、吹き出し音を低減することができる。また、ファンカバー５３への正規の吸い込み空気の量の減少を抑えることができ、吹き出し空気の減少を抑えることにより、吹き出し速度を安定させることもできる。
【００４８】
＜他の実施形態＞
（Ａ）
上記の実施形態では、ファンロータ５１は前面視において左回りに回転しているが、右回りに回転してもよい。この場合、第１整流板３１、第３整流板３２、第２整流板３３、第４整流板３４は、上記とは左右対称に配置される。すなわち、第１整流板３１は、ファンロータ５１の右斜め上方に配置され、第３整流板３２は、ファンロータ５１の左斜め下方に配置され、第２整流板３３は、円管部１６の左斜め上方に配置され、第４整流板３４は、円管部１６の右斜め下方に配置される。
【００４９】
（Ｂ）
上記の実施形態では、床置き型の空気調和機１に本発明が適用されているが、壁掛け型や天井配置型などの他の形式の空気調和機に適用されてもよい。
【００５０】
（Ｃ）
上記の実施形態において、図７に示すように、サイドガイド５８，５９が備えられてもよい。このサイドガイド５８，５９は、側壁１７，１８にそれぞれ設けられており、ファンロータ５１から吹き出され側壁１７，１８へ向かう空気を吹出し口６，７へ向けて案内する部材である。
このようなサイドガイド５８，５９が備えられている場合においても、第１整流板３１および第３整流板３２によって、空気の流れの乱れを抑えることができる。すなわち、サイドガイド５８，５９によって吹出し口６，７へ向けて案内される空気の流れ（矢印Ａ８，Ａ９参照）と、ファンロータ５１から吹き出され側壁１７，１８へ向かう空気の流れ（矢印Ａ３，Ａ４参照）との衝突が第１整流板３１および第３整流板３２によって抑えられ、これらの空気の流れの衝突による乱れの発生が低減される。
【００５１】
なお、第１整流板３１および第３整流板３２によって、側壁１７，１８への衝突による空気の流れの乱れが抑えられるため、上記の実施形態のようにサイドガイド５８，５９を省略しても、吹き出し音の低減は可能である。
【産業上の利用可能性】
【００５２】
本発明は、吹き出し音を減少させることができる効果を有し、空気調和機として有用である。
【図面の簡単な説明】
【００５３】
【図１】空気調和機の前面図。
【図２】空気調和機の側面図。
【図３】空気調和機の側面断面図。
【図４】ファンロータと他の構成との位置関係を示す図。
【図５】第１整流板、第３整流板、第２整流板および第４整流板の配置を示す模式図。
【図６】空気調和機の制御ブロック図。
【図７】他の実施形態に係る空気調和機の構成を示す模式図。
【図８】従来の吹き出し音増大の仕組みを説明する図。
【図９】従来の逆流空気の増大の仕組みを説明する図。
【符号の説明】
【００５４】
１        空気調和機
２        ケーシング
６        第１吹出し口
７        第２吹出し口
１３      ベルマウス
１７      右側壁（第２側壁）
１８      左側壁（第１側壁）
３１      第１整流板
３２      第３整流板
３３      第２整流板
３４      第４整流板
５１      ファンロータ（ターボファン）
５３      ファンカバー
５５      第１部分（上端部）
ＳＰ３    ファン収納空間
【図１】
2007183018.tif 000003
【図２】
2007183018.tif 000004
【図３】
2007183018.tif 000005
【図４】
2007183018.tif 000006
【図５】
2007183018.tif 000007
【図６】
2007183018.tif 000008
【図７】
2007183018.tif 000009
【図８】
2007183018.tif 000010
【図９】
2007183018.tif 000011